(57)【要約】【課題】上下の伸縮性シートをクロス止めする際に、それぞれを被止着部に確実に止着でき、且つファスニングテープの強度を十分に保つこと。【解決手段】腹側部１１と背側部１２とを有する本体部１０を備える使い捨て紙おむつ１において、背側部１２の両側方向に延出して設けられ、伸縮可能な伸縮部２３，３３を有し、両側方向における自由端部２１，３１にファスニング部材２２，３２が固着されている一対の上下２段の伸縮性シート２０，３０と、腹側部１１の人体への接触面とは反対側の外面に設けられ、ファスニング部材２２，３２が着脱自在に止着される被止着部４０と、を備え、上下２段の伸縮性シート２０，３０のうち少なくとも一方は、開口部３５を生じさせることができるミシン目３４と、ミシン目３４を設けた箇所よりも基端部側及び自由端部側に伸縮部３３ａ，３３ｂを備える。【選択図】図２
2015186547.tif 000002
【特許請求の範囲】
【請求項１】
人体の腹側に位置する腹側部と背側に位置する背側部とを有する本体部を備える吸収性物品において、
前記背側部の両側方向に延出して設けられ、伸縮可能な伸縮部を有し、両側方向における自由端部にファスニング部材が固着されている一対の上下２段の伸縮性シートと、
前記腹側部の人体への接触面とは反対側の外面に設けられ、前記ファスニング部材が着脱自在に止着される被止着部と、
を備え、
前記上下２段の伸縮性シートのうち少なくとも一方は、
前記伸縮性シートに開口部を生じさせることができる切込部と、
前記切込部を設けた箇所よりも基端部側及び自由端部側に前記伸縮部を備えることを特徴とする吸収性物品。
【請求項２】
請求項１に記載の吸収性物品において、
前記切込部がミシン目を切り取ることによって形成されることを特徴とする吸収性物品。
【請求項３】
請求項１又は２に記載の吸収性物品において、
前記開口部が円形状、楕円形状又は多角形状であることを特徴とする吸収性物品。
【請求項４】
請求項１〜３の何れか１項に記載の吸収性物品において、
前記切込部が複数本の交差した直線上に沿って設けられていることを特徴とする吸収性物品。
【請求項５】
請求項１〜４の何れか１項に記載の吸収性物品において、
少なくとも前記切込部付近の領域に、補強シート材が貼り合わされていることを特徴とする吸収性物品。
【請求項６】
請求項１〜５の何れか１項に記載の吸収性物品において、
少なくとも前記切込部付近の領域が、他の前記伸縮性シート領域に比べて高目付のホットメルト接着剤によって接着されていることを特徴とする吸収性物品。
【発明の詳細な説明】
【技術分野】
【０００１】
本発明は、使い捨て紙おむつ等の吸収性物品に関する。
【背景技術】
【０００２】
従来、人体の腹側に位置する腹側部及び背側に位置する背側部を有する本体部と、本体部の両側から延出する上下２段に設けられた一対のファスニングテープと、ファスニングテープが着脱自在に止着される被止着部と、が備えられた止着式紙おむつが知られている。
一般的な上下２段に設けられたファスニングテープの被止着部への止着方法としては、ファスニングテープを略平行に止着する方法（通常止め）や、上下のファスニングテープを交差させて止着する方法（クロス止め）が知られている。このうち、特にクロス止めで装着する方法は、着用者の体型に合わせて紙おむつを装着することができるため、フィット性に優れた装着方法である。しかしながら、着用者の体型に合わせてファスニングテープを引っ張って適宜の位置で止着する際に、上下のファスニングテープ同士が重なってしまうことがあり、最適な位置に止着できないことがある。
【０００３】
そこで、この課題を解決するために、様々なファスニングテープが提案されている。例えば、被止着部へ結合するファスニング部材が設けられた面と反対側の面に、被止着部を設ける方法が提案されている（特許文献１）。この方法であれば、クロス止めする際に、上下のファスニングテープが重なった場合であっても、もう一方のファスニングテープの上面に止着することができる。
また、ファスニングテープに開口部を設ける方法も提案されている（特許文献２）。この方法では、開口部から被止着部が露出するので、着用者が痩せ型の体型で、片側のファスニングテープで被止着部を覆ってしまう場合であっても、ファスニングテープの開口部からもう一方側のファスニングテープを被止着部に止着することができる。
【先行技術文献】
【特許文献】
【０００４】
【特許文献１】特許第４０６６８０６号公報
【特許文献２】特開２０１１−０１０８２２号公報
【発明の概要】
【発明が解決しようとする課題】
【０００５】
しかしながら、ファスニングテープの片面に被止着部を設ける場合は、ファスニングテープを重ねて止着する際に、一方のファスニングテープの上面に他方のファスニングテープを止着するため、紙おむつ自体に止着されるファスニングテープはどちらか一方になる。したがって、上下のファスニングテープの両方でクロス止めした場合と同等の止着力を得ることはできないため、紙おむつの重量が重くなった際にズレ落ちる原因となる。
また、ファスニングテープに開口部を設ける場合は、開口部が設けられる箇所が固定されているため、所望の箇所に開口部が配置されるとは限らない。また、開口部を広げると所望の箇所に開口部が配置されやすくなるが、開口部を広げるにつれてファスニングテープの強度が弱くなるため、ファスニングテープを強く引っ張った際に切れやすくなる。
【０００６】
本発明は、このような問題に鑑みてなされたものであり、本発明の課題は、上下のファスニングテープをクロス止めする際に、上下のファスニングテープが重なった場合であっても、それぞれを被止着部に止着することでき、且つファスニングテープの強度を十分保つことができる吸収性物品を提供することである。
【課題を解決するための手段】
【０００７】
上記課題を解決するため、請求項１に記載の発明は、
人体の腹側に位置する腹側部と背側に位置する背側部とを有する本体部を備える吸収性物品において、
前記背側部の両側方向に延出して設けられ、伸縮可能な伸縮部を有し、両側方向における自由端部にファスニング部材が固着されている一対の上下２段の伸縮性シートと、
前記腹側部の人体への接触面とは反対側の外面に設けられ、前記ファスニング部材が着脱自在に止着される被止着部と、
を備え、
前記上下２段の伸縮性シートのうち少なくとも一方は、
前記伸縮性シートに開口部を生じさせることができる切込部と、
前記切込部を設けた箇所よりも基端部側及び自由端部側に前記伸縮部を備えることを特徴とする。
【０００８】
請求項２に記載の発明は、
請求項１に記載の吸収性物品において、
前記切込部がミシン目を切り取ることによって形成されることを特徴とする。
【０００９】
請求項３に記載の発明は、
請求項１又は２に記載の吸収性物品において、
前記開口部が円形状、楕円形状又は多角形状であることを特徴とする。
【００１０】
請求項４に記載の発明は、
請求項１〜３の何れか１項に記載の吸収性物品において、
前記切込部が複数本の交差した直線上に沿って設けられていることを特徴とする。
【００１１】
請求項５に記載の発明は、
請求項１〜４の何れか１項に記載の吸収性物品において、
少なくとも前記切込部付近の領域に、補強シート材が貼り合わされていることを特徴とする。
【００１２】
請求項６に記載の発明は、
請求項１〜５の何れか１項に記載の吸収性物品において、
少なくとも前記切込部付近の領域が、他の前記伸縮性シート領域に比べて高目付のホットメルト接着剤によって接着されていることを特徴とする。
【発明の効果】
【００１３】
本発明によれば、上下の伸縮性シートを被止着部にクロス止めする際に、伸縮性シート同士が重なる場合であっても、一方の伸縮性シートの開口部からもう一方が被止着部に止着することができる。したがって、上下の伸縮性シートをそれぞれ確実に被止着部に止着することが可能である。
また、開口部となる箇所の両側はそれぞれ伸縮部となっているため、引っ張った際に力が分散されることによって、開口部付近が破壊され難くなっている。さらに、開口部を設けることにより、伸縮性シートの伸長性も向上する。
【図面の簡単な説明】
【００１４】
【図１】実施形態１の使い捨て紙おむつにおける後側の底面展開図である。
【図２】図１の使い捨て紙おむつにおける前側の平面展開図である。
【図３】図２におけるIII―III部の断面図である。
【図４】図１の使い捨て紙おむつを、通常止めした場合（ａ）と、クロス止めした場合（ｂ）において装着時の状態に組み立てた場合の斜視図である。
【図５】図１の使い捨て紙おむつにおける左側の伸縮性シート付近の拡大図であり、（ａ）は伸長前、（ｂ）は伸長後である。
【図６】図１の使い捨て紙おむつを装着時の状態に組み立てた場合における、他の例の斜視図である。
【図７】実施形態２における左側の伸縮性シート付近の拡大図であり、（ａ）は伸長前、（ｂ）は伸長後である。
【図８】変形例１における左側の伸縮性シート付近の拡大図であり、（ａ）がミシン目の切り取り前、（ｂ）がミシン目の切り取り後である。
【図９】変形例２における左側の伸縮性シート付近の拡大図である。
【図１０】変形例３における左側の伸縮性シート付近の拡大図である。
【図１１】変形例４における左側の伸縮性シート付近の拡大図である。
【発明を実施するための形態】
【００１５】
以下、本発明を実施するための形態を、図面を参照しながら詳細に説明する。但し、発明の範囲は図示例に限られない。なお、本発明を実施するための形態を説明するにあたり、使い捨て紙おむつ１の幅方向を左右方向、幅方向に垂直な方向を上下方向、使い捨て紙おむつ１の面に垂直な方向を前後方向として、図示して説明を行う。
【００１６】
＜実施形態１＞
使い捨て紙おむつ１は、図１，図２に示すように、着用時に人体の腹側に位置する腹側部１１及び背側に位置する背側部１２を有する本体部１０を備えており、本体部１０は、背側部１２の両側方向に延出して設けられた一対の上下２段の伸縮性シート２０，２０及び伸縮性シート３０，３０と、これらのシートを係止させるために腹側部１１の後側に設けられた被止着部４０とを備えて構成されている。
【００１７】
使い捨て紙おむつ１が装着される際には、本体部１０が人体の股部を腹側から背側にかけて覆われ、上述した一対の上下２段の伸縮性シート２０，２０及び伸縮性シート３０，３０が被止着部４０に止着され、股下に位置する位置に股下部１３が形成されて装着される。ここで、図４（ａ），（ｂ）に示すように、上下２段のシートを略平行に止着する方法（通常止め）、及び、上下２段のシートを交差させて止着する方法（クロス止め）で止着することが可能である。
また、腹側部１１において両外側に延出した腹側延出部１１１、１１１と、背側部１２において両外側に延出した背側延出部１２１，１２１と、は、紙おむつ１が装着された際に胴周り部１４を形成する。ここで、背側部１２の胴周り方向に沿った縁部中央には、糸ゴム等の弾性部材１４１が幅方向（左右方向）に沿って設けられているため、この弾性部材１４１により平面ギャザーが形成され、本体部１０は、着用者の胴周りにフィットするように伸縮自在な構成となっている。
また、股下部１３の両側縁部には、腹側部１１から背側部１２に亘って、装着時に身体の脚周りに配置される二つの脚周り部１５，１５を形成されている。脚周り部１５は、その湾曲形状に合わせて糸ゴム等の弾性部材１５１がそれぞれ設けられ、この弾性部材１５１により平面ギャザーが形成され、着用者の脚周りに伸縮自在にフィットし、横漏れを防止するようになっている。
【００１８】
本体部１０は、図３に断面図を示すように、装着時に肌との接触面側（前側）に設けられる透液性のトップシート１０ａと、装着時に肌との接触面と反対側（後側）に設けられるバックシート１０ｂと、トップシート１０ａとバックシート１０ｂとの間に介装される吸収体１０ｃと、トップシート１０ａ側において上下方向に沿って備えられる左右一対のギャザーシート１０ｄ、１０ｄと、により主に構成される。
【００１９】
トップシート１０ａは、透液性のシートであり、使い捨て紙おむつ１を装着した際に肌に接する面に設けられ、体液を受けて、吸収体１０ｃまで輸送する役割を果たしている。
トップシート１０ａの材料としては、ポリエチレン又はポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用いることが好ましい。
【００２０】
バックシート１０ｂは、使い捨て紙おむつ１を装着した際に肌に接しない側の面に設けられており、防水シート１６と外装シート１７とが貼り合わされることにより形成されている。防水シート１６は、体液などの紙おむつ１外部への染み出しや漏れ出しを防ぐ役割を果たしており、外装シート１７は、紙おむつ１の外面の風合いを良くするための役割を果たしている。
防水シート１６の材料としては、例えば、ポリエチレンやポリプロピレン等の少なくとも遮水性を有するシート材であって、ムレ防止の観点から透湿性を有するシート材が好適に用いられる。
外装シート１７の材料としては、平滑性と柔軟性に優れた素材を用いることが好ましい。例えば、トップシート１０ａと同様に、ポリエチレン又はポリプロピレン等のオレフィン系、ポリエステル系、ポリアミド系等の合成繊維の他、レーヨンやキュプラ等の再生繊維、綿等の天然繊維を使用することができ、スパンレース法、スパンボンド法、サーマルボンド法、メルトブローン法、ニードルパンチ法等の適宜の加工法によって得られた不織布を用いることができるが、特に、ムレを防止するために秤量を抑えて通気性に優れた不織布を用いることが好ましい。さらに、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００２１】
吸収体１０ｃは、トップシート１０ａとバックシート１０ｂとの間に介装され、綿やパルプ等の吸収性素材や、繊維或いはフィルム等のシート状基材と高吸収性ポリマーのような高吸水性樹脂とが組み合わされて形成された吸収体コアＳ１が、透液性のクレープ紙、不織布、孔開きシート等のシート材Ｓ２により覆われて構成されている。
吸収体１０ｃに用いられる高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
また、吸収体１０ｃは、単層構造であっても良いし、複数層に分かれた構造でも構わない。また、吸収体１０ｃは、腹側部１１から股下部１３を通り背側部１２に亘る位置に配置されている。
【００２２】
ギャザーシート１０ｄ、１０ｄは、トップシート１０ａ側において、吸収体１０ｃの上下方向に沿った両側部に、腹側部１１から背側部１２に亘ってそれぞれ備えられている。
ギャザーシート１０ｄ、１０ｄの左右方向内側の部分は、図４に示す通り、トップシート１０ａに固定されておらず、その上下方向に沿って複数の弾性部材１８が略平行に備えられており、「く」の字状及び逆「く」の字状に立ち上がって着用者の体型に合わせて伸縮自在に変形可能な立体ギャザーが形成されている。これに対し、ギャザーシート１０ｄ、１０ｄにおける左右方向外側の部分は、吸収体１０ｃの側方でトップシート１０ａの上面に配置されるように固着されている。
また、ギャザーシート１０ｄ、１０ｄの材料としては、例えば、外装シート１７と同様の不織布を用いることができるが、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いることが好ましい。
【００２３】
上述したように、トップシート１０ａ側の上下方向に沿ってギャザーシート１０ｄ、１０ｄが備えられ、左右方向に対する漏れを防止している。ここで、さらに、図２に示す通り、トップシート１０ａ側の左右方向に沿ってバックギャザーシート１０ｅが備えられ、上下方向に対する漏れについても防止している。
【００２４】
上段の伸縮性シート２０，２０は、それぞれ背側部１２から両側方向に向かって延出しており、基端部が背側延出部１２１，１２１に接合され、自由端部２１，２１が両側方向に凸状に突出した形状となっている。また、上段の伸縮性シート２０，２０は、自由端部２１，２１に設けられた面ファスナの雄材の係止要素であるファスニング部材２２，２２と、延出したシート部分に伸縮可能な伸縮部２３，２３と、を備えており、装着時には、左右方向を伸縮方向として引き伸ばされ、腹側部１１の後側に設けられた被止着部４０に止着可能となっている。
【００２５】
上段の伸縮性シート２０，２０のシート基材は、トップシート１０ａと同様の不織布シートを使用して形成することができる。また、ここで使用する不織布シートは、その目付けを耐久性に優れるように２０〜８０ｇｓｍの範囲内の値とすることが好ましい。
ファスニング部材２２，２２は、面ファスナのオス材の係止要素であり、鉤状、きのこ状、錨状等の多数の突起が形成されたフック材が設けられている。そして、ファスニング部材２２，２２は、腹側部１１の後側に設けられた被止着部４０に、着脱自在に係止することが可能である。
伸縮部２３，２３は、２枚の不織布の間に、所定の間隔で上下方向に並列した複数本の弾性伸縮部材を挟んで接着剤によって貼り合わせることにより、左右方向に伸縮自在な構成となっている。
【００２６】
下段の伸縮性シート３０，３０は、上段の伸縮性シート２０，２０の下側に並列して設けられており、上段の伸縮性シート２０，２０と同様に、基端部が背側延出部１２１に接合され、自由端部３１，３１が両側方向に凸状に突出した形状となっている。ここで、下段の伸縮性シート３０，３０は、自由端部３１，３１に設けられた面ファスナの雄材の係止要素であるファスニング部材３２，３２と、切り取れば開口部を生じさせることができるミシン目３４，３４と、ミシン目を設けた箇所よりも基端部側に伸縮性可能な伸縮部３３ａ，３３ａ及び自由端部側に伸縮性可能な伸縮部３３ｂ，３３ｂと、を備えている。そして、装着時には、伸縮性シート３０，３０が左右方向を伸縮方向として引き伸ばされ、腹側部１１の後側に設けられた被止着部４０に止着可能となっている。
【００２７】
下段の伸縮性シート３０，３０のシート基材は、伸縮性シート２０，２０と同様に、トップシート１０ａと同様の不織布シートを使用して形成することができ、ミシン目を設ける付近は、その目付けを着用時に伸縮可能である２０〜５０ｇｓｍの範囲内の値とすることが好ましく、基端部及び自由端部３１，３１においては、耐久性に優れるように２０〜８０ｇｓｍの範囲内の値とすることが好ましい。
ファスニング部材３２，３２は、上段側のファスニング部材２２，２２と同様に、面ファスナのオス材の係止要素であり、鉤状、きのこ状、錨状等の多数の突起が形成されたフック材が設けられている。そして、ファスニング部材３２，３２は、腹側部１１の後側に設けられた被止着部４０に、着脱自在に係止することが可能である。
伸縮部３３ａ，３３ａ及び伸縮部３３ｂ，３３ｂは、２枚の不織布の間に、所定の間隔で上下方向に並列した複数本の弾性伸縮部材を挟んで接着剤によって貼り合わせることにより、左右方向に伸縮自在な構成となっている。
【００２８】
ミシン目３４は、図５（ａ）に左側の伸縮性シート３０付近の拡大図を示す通り、伸縮性シート３０の幅方向（上下方向）に沿って設けられている。そして、ミシン目３４を切り取って、伸縮性シート３０を左方向に伸長させることで、開口部３５を生じさせることができる（図５（ｂ））。
また、ミシン目３４を設けた箇所の基端部側及び自由端部側には、それぞれ伸縮部３３ａ，３３ａ及び伸縮部３３ｂ，３３ｂが設けられているため、伸縮性シート３０を伸長させた場合に、ミシン目３４付近にかかる負荷を分散させることができる。したがって、使い捨て紙おむつ１において、開口部３５，３５付近のシートを破れ難くすることができる。
【００２９】
使い捨て紙おむつ１は、上述した通り、下段の伸縮性シート３０，３０のミシン目３４，３４を切り取って伸長させると、開口部３５，３５を生じさせることができる。したがって、図６に示すように、仮に着用者の下腹部が出ている等の原因によって上下の伸縮性シートが重なった場合においても、下段の伸縮性シート３０，３０の開口部３５，３５から、上段の伸縮性シート２０，２０を被止着部４０に止着することができる。したがって、上下の伸縮性シートをそれぞれ確実に被止着部４０に止着することが可能である。さらに、開口部３５を設けることにより、開口部３５の分だけ左右方向に対して伸長される長さが増すため、伸縮性シート３０の伸長性も向上している。
【００３０】
ここで、開口部３５，３５は、ミシン目３４，３４を切り取った後に生じさせることができるため、必要に応じてミシン目３４，３４を切り取って開口部３５，３５を生じさせることができる。例えば、クロス止めする場合に、上下のシートが重ならない体型の着用者の場合は、ミシン目３４，３４を切る必要はない。
【００３１】
次に、下段の伸縮性シート３０，３０における、他の実施形態について説明する。なお、以下の変形例の説明においては、本実施形態の使い捨て紙おむつ１との相違点を中心に説明し、一致する構成については同一の符号を付与し、説明を省略する。また、一対の伸縮性シートのうち、左側のシートを代表例として説明する。
【００３２】
＜実施形態２＞
実施形態２は、図７（ａ）に示す通り、実施形態１における下段の伸縮性シート３０において、自由端部３１以外のシート全域に伸縮部３３を設け、伸縮部３３の左右方向の略中央の箇所にミシン目３４を幅方向（上下方向）に沿って設けた場合の実施形態である。ここで、伸縮部３３は、実施形態１の伸縮部３３ａ及び伸縮部３３ｂと同様に、２枚の不織布の間に、所定の間隔で上下方向に並列した複数本の弾性伸縮部材を挟んで接着剤によって貼り合わせることにより、左右方向に伸縮自在な構成となっている。そして、ミシン目３４で切り取って、伸縮性シート３０，３０を左方向に伸長させることにより、本実施形態１と同様に、開口部３５を生じさせることができる（図７（ｂ））。
【００３３】
このように、実施形態２の場合においても、本実施形態１と同様に開口部３５を生じさせることができ、実施形態２と同様の効果を得ることが可能である。ここで、実施形態２の場合においては、伸縮部３３を設けてからミシン目３４を入れるだけで良いため、実施形態１よりも容易に製造することができるというメリットがある。
【００３４】
次いで、実施形態１及び実施形態２における変形例について説明する。なお、以下の変形例の説明においては、実施形態１と一致する構成には同一の符号を付与し、説明を省略する。また、一対の伸縮性シートのうち、左側のシートを代表例として説明する。
【００３５】
＜変形例１＞
変形例１は、図８（ａ）に示すように、下段の伸縮性シート３０において、本実施形態１のミシン目３４を、ミシン目３４を切り取った際の開口部３５の形状が、台形状になるように設けた場合の変形例である。
変形例１では、本実施形態とは異なり、下段の伸縮性シート３０を左側に伸長させることなく、ミシン目３４を切り取るだけで、開口部３５を生じさせることが可能である。したがって、ミシン目付近のシート自体は伸びる必要がないので、ミシン目３４付近シートには、伸び難くて強度の強いものを使用することができる。ここで、例えば、ミシン目３４付近のシート基材としては、トップシート１０ａと同様の不織布シートを使用して形成することができ、その目付けを耐久性に優れるように２０〜８０ｇｓｍの範囲内の値とすることが好ましい。
なお、変形例１においては、開口部３５が台形状となるようにミシン目３４を設けたが、開口部３５の形状は適宜変更可能であり、例えば、長方形状、種々の三角形状、種々の五角形状、円形状又は楕円形状等を選択して形成することができる。
【００３６】
＜変形例２＞
変形例２は、図９に示す通り、本実施形態１のミシン目３４を、上下方向及び左右方向における２本の交差した直線上に沿って設けた場合の変形例である。
このように、上下方向だけでなく左右方向にもミシン目３４を設けることで、ミシン目３４を切り取って引っ張った場合、より開口し易くすることができる。そのため、上下方向に設けるミシン目３４の長さを本実施形態の場合よりも短くすることができ、開口部３５を生じさせたときのシート強度の低下を抑えることができる。
なお、変形例２においては、ミシン目３４を２本の交差した直線上に設けることとしたが、変形例２と同等の効果が得られるのであれば、線の本数や形状等については適宜変更可能であり、例えば、３本の交差させた直線上に設けても良い。
【００３７】
＜変形例３＞
変形例３は、図１０に示す通り、実施形態２における下段の伸縮性シート３０において、シートの後側のミシン目３４付近に、補強シート３６を貼り合わせた場合の変形例である。
実施形態２では、伸縮性シート３０を伸長させた際に、ミシン目３４を設けた箇所における上下方向のシート端部に特に負荷がかかる。そこで、この負荷のかかる箇所を覆って追加の補強シート３６を貼り合せることにより、伸縮性シート３０の強度を向上させることができる。ここで、補強シート３６のシート材としては、伸縮性シート３０の基材と同様の不織布シートや、防水シート１６の基材と同様のシート材を使用して形成することができる。
なお、補強シート３６を設ける領域は、少なくともミシン目３４付近の領域に設けていれば適宜変更可能であり、例えば、シート全域に設けるようにしても良い。
また、追加する補強シート３６の枚数及び補強シートを貼り合せる面についても適宜変更可能であり、例えば、前側と後側にそれぞれ１枚の補強シート３６追加して、計２枚追加しても良い。
【００３８】
＜変形例４＞
変形例４は、図１１に示す通り、実施形態２の場合において、ミシン目付近の領域を、他の領域に比べて高目付のホットメルト接着剤を塗布して接着した高目付接着部３７を有する場合の変形例である。
高目付のホットメルト接着剤で接着することにより、高目付接着部３７付近のシートを固くして、シートの強度を向上させることができるため、変形例３の場合と同様に、特に負荷がかかりやすい箇所を補強することができる。
【００３９】
以上のように、使い捨て紙おむつ１は、上下のファスニングテープをクロス止めする際に、上下のファスニングテープが重なった場合であっても、それぞれを被止着部に止着することでき、且つファスニングテープの強度を十分保つことができる使い捨て紙おむつ１であるといえる。
【００４０】
なお、下側の伸縮性シート３０，３０に開口部３５，３５を生じさせることとしたが、上下２段の伸縮性シートのうち少なくとも一方に設けていれば良く、例えば、上下両側に設けるようにしても良い。
また、ミシン目３４，３４を設けることにより、必要に応じて切り取って使用することとしたが、予め切れ込みを入れておくようにしても良い。
【００４１】
また、伸縮部は、２枚の不織布の間に、所定の間隔で上下方向に並列した複数本の弾性伸縮部材を挟んで接着剤によって貼り合わせる構成としたが、弾性部材については一定間隔で設ける必要はなく、例えば、幅方向（上下方向）端部の弾性部材の量を増やしても良い。このようにすれば、端部領域の伸縮性及び強度を向上させることができる。
また、伸縮部自体の構成も上述した方法に限ることはなく、適宜変更可能であり、例えば伸縮性不織布を使用しても良い。
【００４２】
また、本発明において、上下２段の伸縮性シートはそれぞれ使用者がつまみやすいように、それぞれ左右方向に凸状に突出させた自由端部を設ける構成としたが、必ずしも先端を突出させる必要はない。例えば、それぞれ矩形上として、左右方向の自由端部付近にファスニング部材を設ける構成としも良い。
【００４３】
さらに、本発明の範囲は上記に限られることなく、本発明の趣旨を逸脱しない範囲において種々の改良並びに設計の変更を行っても良い。
【符号の説明】
【００４４】
１      使い捨て紙おむつ（吸収性物品）
１０    本体部
１０ａ  トップシート
１０ｂ  バックシート
１０ｃ  吸収体
１０ｄ  ギャザーシート
１０ｅ  バックギャザーシート
１１    腹側部
１２    背側部
１３    股下部
１４    胴周り部
１５    脚周り部
１６    防水シート
１７    外装シート
１８    弾性部材
２０    伸縮性シート
２１    自由端部
２２    ファスニング部材
２３    伸縮部
３０    伸縮性シート
３１    自由端部
３２    ファスニング部材
３３    伸縮部
３４    ミシン目
３５    開口部
３６    補強シート
３７    高目付接着部
４０    被止着部
【図１】
2015186547.tif 000003
【図２】
2015186547.tif 000004
【図３】
2015186547.tif 000005
【図４】
2015186547.tif 000006
【図５】
2015186547.tif 000007
【図６】
2015186547.tif 000008
【図７】
2015186547.tif 000009
【図８】
2015186547.tif 000010
【図９】
2015186547.tif 000011
【図１０】
2015186547.tif 000012
【図１１】
2015186547.tif 000013